(57)【特許請求の範囲】
【請求項１】
利用者が把持する柄と、
該柄の先端に連続して取り付けられた掬い体と、
前記掬い体の横断面が凹形状に形成された掬い部と、
前記掬い体の先端を分岐させてそれぞれ形成されている先端分岐部と、
該先端分岐部間に形成され、前記掬い体の先端を切欠いた略Ｖ字状の切欠き部と、
前記先端分岐部の先端を上方に折り返して形成された折り返し部と、
前記掬い体の先端から前記柄の後端に亘ったいずれかの部位にて上側に屈曲した屈曲部とを備え、
前記先端分岐部の延長線と折り返し部とがなす角度である折り返し角が９０°以上であることを特徴とする雑草除去具。
【請求項２】
前記先端分岐部の少なくとも一方の側縁から内側に向けて溝部が形成されていることを特徴とする請求項１に記載の雑草除去具。
【請求項３】
前記先端分岐部の両側縁から内側に向けて溝部が形成されていることを特徴とする請求項１又は２に記載の雑草除去具。
【請求項４】
前記折り返し部の先端から内側に向けて切欠き溝部が形成されていることを特徴とする請求項１〜３のいずれかに記載の雑草除去具。
【請求項５】
前記掬い部の後端側に前記掬い部よりも幅広の幅広掬い部が形成されていることを特徴とする請求項１〜４のいずれかに記載の雑草除去具。
【発明の詳細な説明】
【技術分野】
【０００１】
本発明は、草の根や株等を含む雑草を除去するための雑草除去具に関するものである。
【背景技術】
【０００２】
根・株除去具が特許文献１に開示されている。この除去具は、二股部を形成し、土中に突き刺す際に、二股部に土が詰まったり根や株が詰まったりすることなく、土中深くにまで張った根や株を除去するためのものである。また一方で、特許文献２にも、二股部を備えた同様の除去具が開示されている。これら特許文献１及び２に記載の除去具はいずれも、庭の手入れ等で雑草（根や株等を含む）を除去するために用いられるものである。
【０００３】
しかしながら、雑草には多くの種類が存在しているため、これら種々の雑草全てには、上記特許文献１及び２の除去具だけでは対応できない。例えば、根の長い雑草の場合は、これらの根を土中で全てたぐり寄せて引き抜く必要がある。また、小さな雑草の場合は熊手のようなもので土表面をひっかくようにした方が効率がよい。さらには、土だけでなく、木に絡まった蔓を除去したい場合もある。これら全ての雑草の除去作業に対して、一つの除去具で対応できればより好ましい。
【先行技術文献】
【特許文献】
【０００４】
【特許文献１】実用新案登録第３１３７４０９号公報
【特許文献２】実用新案公告第２５８０７号公報（大正１５年）
【発明の概要】
【発明が解決しようとする課題】
【０００５】
本発明は、上記従来技術を考慮したものであって、道具を持ち替えることなく庭の手入れ時に種々の雑草を除去することができ、さらに様々な用途に対応することができる雑草除去具を提供することを目的とする。
【課題を解決するための手段】
【０００６】
前記目的を達成するため、請求項１の発明では、利用者が把持する柄と、該柄の先端に連続して取り付けられた掬い体と、前記掬い体の横断面が凹形状に形成された掬い部と、前記掬い体の先端を分岐させてそれぞれ形成されている先端分岐部と、該先端分岐部間に形成され、前記掬い体の先端を切欠いた略Ｖ字状の切欠き部と、前記先端分岐部の先端を上方に折り返して形成された折り返し部と、前記掬い体の先端から前記柄の後端に亘ったいずれかの部位にて上側に屈曲した屈曲部とを備え、前記先端分岐部の延長線と折り返し部とがなす角度である折り返し角が９０°以上であることを特徴とする雑草除去具を提供する。
【０００８】
また、請求項２の発明では、前記先端分岐部の少なくとも一方の側縁から内側に向けて溝部が形成されていることを特徴としている。
【０００９】
また、請求項３の発明では、前記先端分岐部の両側縁から内側に向けて溝部が形成されていることを特徴としている。
【００１１】
また、請求項４の発明では、前記折り返し部の先端から内側に向けて切欠き溝部が形成されていることを特徴としている。
【００１３】
また、請求項５の発明では、前記掬い部の後端側に前記掬い部よりも幅広の幅広掬い部が形成されていることを特徴としている。
【発明の効果】
【００１４】
請求項１の発明によれば、柄の先端に連続して取り付けられた掬い体の先端を分岐させた先端分岐部が形成され、この先端分岐部は略Ｖ字状の切欠き部によって形成されている。さらに、掬い体の先端から柄の後端に亘ったいずれかの部位にて上側に屈曲した屈曲部が形成されている。これにより、切欠き部に雑草の根を差し込み、屈曲部を支点にして、てこの原理で雑草を根ごと除去することができる。また、掬い部は横断面が凹形状に形成されているため、掬い部に土を盛ることができ、いわゆるスコップとして利用することができる。また、先端分岐部の先端を上方に折り返して形成された折り返し部が形成されているため、当該雑草除去具を上下反転させて把持すれば、これを利用して土をひっかいて枯れ草を集めたり、小さな雑草を除去したりすることができ、いわゆる熊手として利用することができる。また、切欠き部に雑草を入れ込み、柄ごと掬い体を回転させることにより雑草を掬い体に巻き付けることができるので、細長い雑草や長い根、あるいは蔓等を絡ませて除去することができる（巻き付け除去）。このとき、折り返し部があるため雑草はこの折り返し部に引っかかり、切欠き部から抜けることはない。また、先端分岐部の延長線と折り返し部とがなす角度である折り返し角が９０°以上であるため、切欠き部に差し込んだ雑草が再び切欠き部から抜けることを確実に防止できる。すなわち、切欠き部に差し込まれた雑草は、切欠き部から抜けようとすると折り返し部の先端に引っかかるため、抜け落ちることはない。
【００１６】
請求項２の発明によれば、先端分岐部の少なくとも一方の側縁から内側に向けて溝部が形成されているため、上述した巻き付け除去をする際に雑草が溝部に入り込み、確実に掬い体に雑草を巻き付けることができる。
【００１７】
請求項３の発明によれば、先端分岐部の両側縁から内側に向けて溝部が形成されているため、さらにより確実に上述した巻き付け除去を効率よく行うことができる。
【００１９】
請求項４の発明によれば、折り返し部の先端から内側に向けて切欠き溝部が形成されているため、切欠き溝部を利用して雑草を絡ませることができ、雑草の除去作業が容易となる。
【００２１】
請求項５の発明によれば、掬い部の後端側に掬い部よりも幅広の幅広掬い部が形成されているため、この幅広掬い部を利用してより多くの土を盛ることができ、スコップとして利用する際に便利である。またこの幅広掬い部を、当該雑草除去具の先端を土に差し込む際のストッパとして機能させることもできる。
【図面の簡単な説明】
【００２２】
【図１】本発明に係る雑草除去具の概略図である。
【図２】先端分岐部の一例を示す概略図である。
【図３】先端分岐部の他の一例を示す概略図である。
【図４】先端分岐部のさらに他の一例を示す概略図である。
【図５】掬い部の一例を示す概略端面図である。
【発明を実施するための形態】
【００２３】
図１（Ａ）は本発明に係る雑草除去具の概略平面図、（Ｂ）は概略側面図、（Ｃ）は（Ａ）のＡ−Ａ概略端面図である。
図示したように、本発明に係る雑草除去具１は、柄２と、掬い体３で構成されている。柄２は、利用者が把持する部分である。掬い体３は、柄２の先端に連続して取り付けられている。掬い体３の先端は二股に分岐され、先端分岐部４が形成されている。この先端分岐部４は、掬い体３の先端を略Ｖ字状に切欠いた切欠き部５によって形成されている。なお、切欠き部５を複数設け、先端分岐部４を複数形成してもよい。先端分岐部４の先端には、それぞれ折り返し部６が形成されている。折り返し部６は、先端分岐部４の先端を上方に折り返して形成したものである。一方で、掬い体３の切欠き部５よりも後端側は、横断面が凹形状に形成されていて（（Ｃ）参照）、掬い部７となっている。また、掬い体３と柄２の互いの軸線は所定の角度を有して交差し、その境目にて上側に屈曲した屈曲部８が形成されている。なお、この屈曲部８は掬い体３の先端から柄２の後端に亘ったいずれかの部位にて上側に屈曲していればよく、例えば掬い体３自体を折り曲げて形成してもよい。
【００２４】
このような雑草除去具１を用いて庭の手入れをする場合、以下の使用態様がある。
通常の草抜きとして使用する場合は、切欠き部５に雑草を入れ込む（挟み込む）ようにして掬い体３を土中に入れ込み、屈曲部８を支点にして、「てこ」の原理で掬い体３の先端側を持ち上げ、雑草を根ごと除去する。このとき、掬い体３の先端側を持ち上げたときに雑草が切欠き部５から抜け落ちる方向に移動するが、雑草がＶ字状の切り欠き部５に挟まれていたり、折り返し部６があるため雑草はこれに引っかかり、切欠き部５から抜け落ちることを防止している。なお、本明細書では、雑草とは草だけではなく、草の根や株、あるいは蔓等、庭の手入れをする際に除去されるべき植物全般をいう。
【００２５】
細長い雑草や長い根、あるいは木に絡まった蔓等を除去する場合は、上記と同様雑草を切欠き部５に入れ込み、この状態で柄２を回転させてこれとともに掬い体３を回転させ、雑草を掬い体３に巻き付ける。そして、十分巻き付けた状態で雑草を引き抜く。このような巻き付け除去は、特に細長い雑草をたぐり寄せて除去したい場合に好適である。この場合においても、雑草は折り返し部６に引っかかるので、巻き付け中に雑草が切欠き部５から抜け落ちることはない。このとき先端分岐部４が、掬い体３の切欠き部５よりも後端側と同様に、横断面を凹形状に形成すれば、草や茎との接触が平面状であるよりも、器具の回転角度が小さくてすむため、後述する溝部９や折り返し部６との絡みがたやすくなる。すなわち、先端分岐部４に丸みを持たせ（掬い体３全体として丸みを持たせ）た方が、巻き付ける際の回転角度を減少させることができ、効率がよい。
【００２６】
また、枯れ草を集めたり、小さな雑草を除去したりする場合は、把持を上下反転させた上で、土表面を折り返し部６でひっかく。いわゆる熊手のような使用態様である。
【００２７】
さらに、土を掘って地中にある根や株を除去する場合は、掬い体３を土に差し込み、屈曲部８を支点として掬い体３を持ち上げれば、掬い部７に土が盛られる。土を持って除去した後に地中の根や株を発見し、これを除去する。この場合、いわゆるスコップのような使用態様である。掬い部７は横断面が凹形状であるため、確実に土を盛ることができ、本発明のような雑草除去が目的のものであっても、この除去具１はスコップをも兼用することができ、大変利便性が高い。
【００２８】
以上のように、一つの雑草除去具１で上述した種々の庭の手入れ作業に適用することができ、それぞれに応じた除去具を用意する必要がなくなり、又そのために除去具を持ち替える必要もなくなる。したがって、庭の手入れ作業の効率が向上する。
【００２９】
ここで、（Ｂ）に示すように、折り返し部の折り返し角θは、９０°以上であることが好ましい。このように折り返し部６の先端を切欠き部５側に向ければ、切欠き部５に差し込んだ雑草が再び切欠き部５から抜けることを確実に防止できる。すなわち、切欠き部５に差し込まれた雑草は、切欠き部５から抜けようとすると折り返し部６の先端に引っかかり、抜けることはない。
【００３０】
また、図２に示すように、先端分岐部４の少なくとも一方の側縁（図では切欠き部５側の側縁）から内側に向けて溝部９を形成してもよい。この溝部９により、上述した巻き付け除去をする際に雑草が溝部９に入り込み、確実に掬い体３に雑草を巻き付けることができる。なお、溝部９の形状、深さ等のパラメータは、適宜変更可能である。また、図２のような切欠き部５側の側縁に溝部９を設けるのではなく、掬い体３の外側縁に溝部９を設けてもよい。
【００３１】
一方で、図３に示すように、先端分岐部４の両側縁から内側に向けて溝部９を形成してもよい。このようにすれば、より確実に雑草を溝部９に入れ込むことができ、上述した巻き付け除去を効率よく行うことができる。このとき、図示したように溝部９を複数設ければ、さらにより確実に多くの雑草を溝部９に入り込ませることができ、巻き付け除去をさらに効率よく行うことができる。図３では、先端分岐部４の外側縁側にそれぞれ３つ、切欠き部５側にそれぞれ２つずつ溝部９を設けた例を示している。
【００３２】
また、図４に示すように、折り返し部６の先端から内側に向けて切欠き溝部１０を形成してもよい。このような切欠き溝部１０を形成することにより、切欠き溝部１０を利用して雑草を絡ませることができ、雑草の除去作業が容易となる。なお、図では折り返し部６に一つの切欠き溝部１０を形成した例を示したが、雑草を多く絡めるという観点からいえば、複数の切欠き溝部１０を形成した方が好ましい。
【００３３】
また、上述した溝部９及び切欠き溝部１０は単独で形成してもよいし、組み合わせて形成してもよい。組み合わせることにより、多くの雑草を絡めることができるので、除去作業の効率化を図ることができる。
【００３４】
さらに一方で、図５に示すように、掬い部７の両側縁を折り返して補強部１１を形成してもよい。このような補強部１１を形成することにより、硬い土に差し込んだ場合でも強度的に十分適用できる。すなわち、本発明に係る雑草除去具１をスコップとして利用したとき、あるいは雑草を除去するために地中に差し込んだ際に、作業性を阻害することがなく、信頼性高く使用することができ、また除去具としての長寿命化を図ることができる。
【００３５】
掬い部７の後端側に、掬い部７よりも幅広の幅広掬い部１２を形成してもよい（図１参照）。この幅広掬い部１２により、幅広掬い部１２を利用してより多くの土を盛ることができ、雑草除去具１をスコップとして利用する際に大変便利である。
【符号の説明】
【００３６】
１：雑草除去具、２：柄、３：掬い体、４：先端分岐部、５：切欠き部、６：折り返し部、７：掬い部、８：屈曲部、９：溝部、１０：切欠き溝部、１１：補強部、１２：幅広掬い部
【要約】
【課題】道具を持ち替えることなく庭の手入れ時に種々の雑草を除去することができ、さらに様々な用途に対応することができる雑草除去具を提供する。
【解決手段】利用者が把持する柄２と、該柄２の先端に連続して取り付けられた掬い体３と、前記掬い体３の横断面が凹形状に形成された掬い部７と、前記掬い体３の先端を分岐させてそれぞれ形成されている先端分岐部４と、該先端分岐部４間に形成され、前記掬い体３の先端を切欠いた略Ｖ字状の切欠き部５と、前記先端分岐部４の先端を上方に折り返して形成された折り返し部６と、前記掬い体３の先端から前記柄２の後端に亘ったいずれかの部位にて上側に屈曲した屈曲部８とを備えた。
【選択図】図１【図１】
0004776045.tif 000002
【図２】
0004776045.tif 000003
【図３】
0004776045.tif 000004
【図４】
0004776045.tif 000005
【図５】
0004776045.tif 000006